(57)【特許請求の範囲】
【請求項１】
天井側に水平に設置するフック部材と、該フック部材を介して吊下し、下端に幅木部材を付設するパネルと、前記幅木部材を介して前記パネルを振れ止めする位置決め部材とを備えてなり、前記フック部材は、外側に向けて斜め上向きのフック部を有し、前記パネルは、前記フック部に上方から係合する下向きチャンネル状の係合フックを有し、前記位置決め部材は、上部開放のチャンネル状に形成して前記フック部の下方の床面に設置し、前記幅木部材は、前記位置決め部材に上方から嵌合する下部開放のチャンネル状に形成することを特徴とする引き戸用の戸袋。
【請求項２】
前記パネルは、芯材の両面に表面材、裏面材を付設して形成し、前記係合フックは、前記表面材の上端縁に形成することを特徴とする請求項１記載の引き戸用の戸袋。
【請求項３】
前記パネルは、引き戸との間の隙間を閉じるカバーを有し、該カバーは、前記裏面材の戸先側の端部に縦方向にねじ止めすることを特徴とする請求項２記載の引き戸用の戸袋。
【請求項４】
前記位置決め部材の内側のフランジ部の先端には、外側のフランジ部に向けて斜め上向きのガイド部を形成し、前記幅木部材は、内側のフランジ部を外側のフランジ部より短くすることを特徴とする請求項１ないし請求項３のいずれか記載の引き戸用の戸袋。
【請求項５】
前記パネル、位置決め部材は、引き戸の両側に各１組を設けることを特徴とする請求項１ないし請求項４のいずれか記載の引き戸用の戸袋。
【発明の詳細な説明】
【０００１】
【発明の属する技術分野】
この発明は、組立作業を簡単にし、所要組立工数を少なくすることができる引き戸用の戸袋に関する。
【０００２】
【従来の技術】
病院や事務所、学校等に設ける室内間仕切りシステムには、出入口用の引き戸を組み込み、引き戸を収納する戸袋を設けることがある。
【０００３】
従来の引き戸用の戸袋は、天井側の上枠と、床側の下枠と、下枠上に立設する鋼板製のパネルとを組み合わせて構成されている。上枠には、パネルの倒れを防止するフランジが下向きに付設されており、パネルの上端面には、上枠のフランジに対応してスリットが形成されている。そこで、このものは、上枠のフランジをスリットに進入させながらパネルを下枠上に設置して組み立てることができる。なお、パネルは、下枠に組み込むねじ式のアジャスタを介してレベル調節し、左右の傾きを修正する。
【０００４】
【発明が解決しようとする課題】
かかる従来技術によるときは、下枠のアジャスタを介してパネルをレベル調節する必要があるため、組立作業が煩雑であり、所要組立工数が過大になりがちであるという問題があった。
【０００５】
そこで、この発明の目的は、かかる従来技術の問題に鑑み、天井側のフック部材を介してパネルを吊下することによって、組立作業を簡単にし、所要組立工数を低減することができる引き戸用の戸袋を提供することにある。
【０００６】
【課題を解決するための手段】
かかる目的を達成するためのこの発明の構成は、天井側に水平に設置するフック部材と、フック部材を介して吊下し、下端に幅木部材を付設するパネルと、幅木部材を介してパネルを振れ止めする位置決め部材とを備えてなり、フック部材は、外側に向けて斜め上向きのフック部を有し、パネルは、フック部に上方から係合する下向きチャンネル状の係合フックを有し、位置決め部材は、上部開放のチャンネル状に形成してフック部の下方の床面に設置し、幅木部材は、位置決め部材に上方から嵌合する下部開放のチャンネル状に形成することをその要旨とする。
【０００７】
なお、パネルは、芯材の両面に表面材、裏面材を付設して形成し、係合フックは、表面材の上端縁に形成することができ、パネルは、引き戸との間の隙間を閉じるカバーを有し、カバーは、裏面材の戸先側の端部に縦方向にねじ止めすることができる。
【０００８】
また、位置決め部材の内側のフランジ部の先端には、外側のフランジ部に向けて斜め上向きのガイド部を形成し、幅木部材は、内側のフランジ部を外側のフランジ部より短くしてもよい。
【０００９】
なお、パネル、位置決め部材は、引き戸の両側に各１組を設けることができる。
【００１０】
【作用】
かかる発明の構成によるときは、パネルは、天井側に設置するフック部材を介して吊下することにより、所定位置に設置することができ、床側の位置決め部材を介して振れ止めすることにより、下部を正しく位置決めすることができるから、煩雑なレベル調節作業が全く不要である。ただし、フック部材は、たとえば上枠を介し、天井側に正しく水平に設置されているものとする。
【００１１】
斜めのフック部をフック部材に設け、係合フックをパネルに設ければ、フック部は、係合フックを係合させることにより、パネルを厚さ方向にガイドして所定位置にパネルを拘束し、パネルの上部を所定位置に正しく位置決めすることができる。なお、フック部は、フック部材の全長に亘って連続的に形成してもよく、複数に分割して形成してもよい。
【００１２】
パネル、位置決め部材を引き戸の両側に設けるときは、パネルは、引き戸とともに壁の開口部分を閉じ、開放位置にある引き戸を室内側、室外側の両側から隠蔽することができる。
【００１３】
パネルに設ける幅木部材は、パネルをフック部材に吊下する際に位置決め部材に対して上方から嵌合し、吊下されたパネルを振れ止めすることができる。すなわち、パネルは、フック部材に吊下すると同時に下部の位置決めを完了することができる。
【００１４】
パネルにカバーを付設するときは、カバーは、パネルと引き戸との間の隙間を閉じ、引き戸を戸袋に収納するときの体裁をよくするとともに、引き戸の開閉操作の安全性を向上することができる。
【００１５】
【発明の実施の形態】
以下、図面を以って発明の実施の形態を説明する。
【００１６】
引き戸用の戸袋は、天井Ｃ側に設置するフック部材１１と、パネル１２、１２と、床面Ｆに設置する位置決め部材１３、１３とを備えてなる（図１、図２）。ただし、壁Ｗの開口部分には、上枠２１、縦枠２２、２２が組み込まれ、パネル１２、１２は、ガイドレール３２を介して吊下する吊戸形式の引き戸４１とともに、壁Ｗの開口部分を閉じることができる。
【００１７】
上枠２１は、上部開放のチャンネル状に形成され、上部の開放側には、複数の連結板２１ａが所定ピッチごとに付設されている。上枠２１は、壁Ｗに埋設するアンカボルトＷ1 に連結板２１ａを固定することにより、壁Ｗの開口部分の上部に水平に設置されている。上枠２１の両端は、各縦枠２２の上端に対し、ブラケット２１ｂ、ボルト２１ｃ、２１ｃを介して連結されている。縦枠２２、２２は、それぞれ上枠２１と同様に複数の連結板２２ａが所定ピッチごとに付設され（図１、図３）、壁Ｗに埋設するアンカボルトＷ2 に連結されている。ただし、縦枠２２、２２は、引き戸４１の戸先側の一方が断面凹状に形成され、引き戸４１の戸尻側の他方が断面凸状に形成されており、戸尻側の縦枠２２には、戸当り用のクッション材２２ｃが付設されている。
【００１８】
縦枠２２、２２間には、レールベース３１を介し、引き戸４１を吊下するガイドレール３２が架設されている（図１、図４）。レールベース３１の両端は、縦枠２２、２２の上部に対し、図示しない止めねじを介して連結されており、ガイドレール３２は、レールベース３１に対し、複数の止めねじ３２ａを介して引き戸４１の戸先側が低くなるような所定勾配にねじ止めされている。引き戸４１は、ブラケット４１ａ、４１ａを介し、ガイドレール３２上を転動する戸車４２、４２が上部に装着されており（図３、図４）、把手４１ｂ、４１ｂが戸先側の両面に付設されている。また、引き戸４１の戸先には、戸当り用のクッション材４１ｃが付設されている。そこで、引き戸４１は、戸車４２、４２、ガイドレール３２を介し、壁Ｗの開口部分を閉鎖する閉鎖位置（図１、図３の各実線）と、開口部分を開放する開放位置（同図の各二点鎖線）との間を前後に移動させることができる。
【００１９】
フック部材１１は、上枠２１の下面に全長に亘って付設されている（図１、図２）。フック部材１１の左右両側には、外側に向けて斜め上向きのフック部１１ａ、１１ａが形成されている。一方、位置決め部材１３、１３は、それぞれ複数の止めねじ１３ｃを介し、フック部材１１のフック部１１ａの下方の床面Ｆに設置されている。各位置決め部材１３は、上部開放のチャンネル状に形成され、引き戸４１側の内側のフランジ部の先端には、外側のフランジ部に向けて斜め上向きのガイド部１３ａが形成されている。また、位置決め部材１３は、パネル１２の幅と同一長さに形成され、戸先側の木口が閉じられている。
【００２０】
パネル１２、１２は、それぞれ図示しない芯材の両面に表面材１２ａ、裏面材１２ｂを付設して形成されており、複数の止めねじ１２ｄ1 を介して下端に幅木部材１２ｄが付設されている。表面材１２ａの上端縁には、フック部材１１のフック部１１ａに対して上方から係合する下向きチャンネル状の係合フック１２ｃが形成されており、裏面材１２ｂの戸先側の端部には、カバー１２ｅが縦方向にねじ止めされている（図２、図３）。ただし、表面材１２ａは、戸先側の端縁を裏面側にまで折り曲げて裏面材１２ｂと接合されており、戸尻側の端縁は、裏面材１２ｂとともに、戸尻側の縦枠２２の断面形状に適合する段状に形成されている。幅木部材１２ｄは、パネル１２の全幅に亘って付設されており、位置決め部材１３に嵌合する下部開放のチャンネル状に形成されている。なお、幅木部材１２ｄは、パネル１２の裏面側（内側）のフランジ部が表面側（外側）のフランジ部より短くなっており、戸先側の木口が閉じられている。
【００２１】
閉鎖位置の引き戸４１の上方には、補助パネル１５、１５が設置されている（図１、図４）。各補助パネル１５は、パネル１２の係合フック１２ｃと同様の係合フック１５ａが上部に形成されており、下部がチャンネル状に折り返されている。なお、補助パネル１５の最大厚さは、パネル１２の厚さよりやや大きくなっている（図３）。
【００２２】
パネル１２、１２、補助パネル１５、１５は、次のようにして組み立てる。
【００２３】
フック部材１１は、上枠２１に付設することにより天井Ｃ側に水平に設置されており（図１、図５）、位置決め部材１３、１３は、戸尻側の縦枠２２に一端を接するようにして、引き戸４１の両側の床面Ｆ上に設置されている。そこで、各パネル１２は、上部を表面側に傾けて（図５の実線）、幅木部材１２ｄを位置決め部材１３に対して上方から嵌合させ、垂直に起こしながら係合フック１２ｃをフック部材１１のフック部１１ａに上方から係合させ（図５の二点鎖線）、全体を下方に移動させてフック部１１ａに対して係合させ、位置決め部材１３に対して嵌合させることにより（図２の二点鎖線）、フック部材１１を介して上枠２１から吊下することができる。
【００２４】
なお、このときの幅木部材１２ｄは、パネル１２の裏面側のフランジ部が短いことにより、ガイド部１３ａを介して位置決め部材１３に円滑に嵌合し、パネル１２の下部を正しく位置決めすることができ、位置決め部材１３は、幅木部材１２ｄを介してパネル１２を振れ止めすることができる。また、フック部材１１は、フック部１１ａが斜めであるから、係合フック１２ｃを介してパネル１２の上部を厚さ方向にガイドし、フック部１１ａの底部に係合フック１２ｃの先端部が係合することにより、パネル１２の上部を正しく位置決めし、パネル１２を所定高さに吊下することができる。なお、ガイドレール３２は、パネル１２の吊下後に止めねじ３２ａを介してレールベース３１にねじ止めすることにより、止めねじ３２ａを介してパネル１２とレールベース３１とを一体に連結している。ただし、パネル１２、１２は、ガイドレール３２側の一方を先に設置し、他方を後に設置することが好ましい（図２）。
【００２５】
パネル１２、１２は、開放位置の引き戸４１を収納する戸袋Ｓを壁Ｗの開口部分に形成することができる。また、このときのカバー１２ｅ、１２ｅは、それぞれパネル１２と引き戸４１との間の隙間を閉じ、戸袋Ｓ内を隠蔽する。なお、カバー１２ｅ、１２ｅは、引き戸４１の厚さや吊下位置、パネル１２、１２の間隔等に合わせて、パネル１２からのそれぞれの突出高さｈを適切に設定するものとする。
【００２６】
一方、補助パネル１５、１５は、それぞれパネル１２と同様に、係合フック１５ａを介してフック部材１１から吊下する（図３、図４）。ただし、ガイドレール３２側の補助パネル１５は、裏面側にブラケット１５ｆが付設されており、ガイドレール３２の止めねじ３２ａを介し、レールベース３１に連結して振れ止めすることができる。また、ガイドレール３２の反対側の補助パネル１５は、戸先側の縦枠２２に付設するブラケット１５ｃ、パネル１２の戸先側に付設するブラケット１５ｃの双方に対し、化粧ねじ１５ｅ、１５ｅを介して連結して振れ止めする。補助パネル１５、１５は、閉鎖位置の引き戸４１の上部を隠蔽することができる。
【００２７】
以上の説明において、パネル１２、１２は、壁Ｗの開口部分に合わせて引き戸４１の大きさが設定されているとき、戸袋Ｓを壁Ｗ、パネル１２により形成し、一方のパネル１２を削除してもよい。また、フック部材１１は、左右のフック部１１ａ、１１ａを別体に分離してもよい。さらに、引き戸４１は、吊戸形式とするに代えて、床面Ｆに設置するレール上を走行する引き戸としてもよい。
【００２８】
【発明の効果】
以上説明したように、この発明によれば、天井側のフック部材を介してパネルを吊下することによって、パネルは、床面に設置する位置決め部材を介して振れ止めし、所定位置に一挙に正しく設置することができるから、組立作業を簡単にして所要組立工数を少なくすることができるという優れた効果がある。
【図面の簡単な説明】
【図１】  全体構成正面説明図
【図２】  図１のＸ−Ｘ線矢視相当拡大断面図
【図３】  図１のＹ−Ｙ線矢視相当拡大断面図
【図４】  図１のＺ−Ｚ線矢視相当拡大断面図
【図５】  動作説明図
【符号の説明】
Ｃ…天井
Ｆ…床面
１１…フック部材
１１ａ…フック部
１２…パネル
１２ｃ…係合フック
１２ｄ…幅木部材
１２ｅ…カバー
１３…位置決め部材
４１…引き戸
【図１】
0004224837.tif 000002
【図２】
0004224837.tif 000003
【図３】
0004224837.tif 000004
【図４】
0004224837.tif 000005
【図５】
0004224837.tif 000006